(57)【要約】【課題】浴室用椅子にオプション部品を着脱可能に容易に取り付けることができ、かつ、がたつかないよう安定して取り付けることができる。【解決手段】取付部材６０は、左カバー６１Ｌと、右カバー６１Ｒと、固定部材６０Ａとを備える。左カバー６１Ｌは、前壁部７１と、前壁部７１から後方に離間した後壁部７３と、前壁部７１の左端と後壁部７３の左端とに架け渡された左壁部７２Ｌと、前壁部７１の上端と後壁部７３の上端とに架け渡された上壁部７４Ａとを有し、椅子１００のフレーム１０の左上コーナー部１６Ｌに被せられる。右カバー６１Ｒは、前壁部７１と、後壁部７３と、前壁部７１の右端と後壁部７３の右端とに架け渡された右壁部７２Ｒと、上壁部７４Ａとを有し、フレーム１０の右上コーナー部１６Ｒに被せられる。固定部材６０Ａは、左右のカバー６１Ｌ、６１Ｒに支持され、オプション部品９０が固定される。【選択図】図１
2019072178.tif 000002
【特許請求の範囲】
【請求項１】
フレームと前記フレームに支持された座部および背もたれとを備えた浴室用椅子にオプション部品を取り付けるためのオプション部品取付部材であって、
前記フレームは、前記座部の左側から上方に向かって延びる左の縦フレーム部と、前記座部の右側から上方に向かって延びる右の縦フレーム部と、前記左の縦フレーム部の上端部から右方に延びる左端部および前記右の縦フレーム部の上端部から左方に延びる右端部を含み、前記背もたれが固定された横フレーム部と、を有し、
前記左の縦フレーム部の前記上端部および前記横フレーム部の前記左端部は、左上コーナー部を形成し、前記右の縦フレーム部の前記上端部および前記横フレーム部の前記右端部は、右上コーナー部を形成しており、
前壁部と、前記前壁部から後方に離間した後壁部と、前記前壁部の左端と前記後壁部の左端とに架け渡された左壁部と、前記前壁部の上端と前記後壁部の上端とに架け渡された上壁部と、を有し、前記左上コーナー部に被せられる左カバーと、
前壁部と、前記前壁部から後方に離間した後壁部と、前記前壁部の右端と前記後壁部の右端とに架け渡された右壁部と、前記前壁部の上端と前記後壁部の上端とに架け渡された上壁部と、を有し、前記右上コーナー部に被せられる右カバーと、
前記左カバーおよび前記右カバーに支持され、前記オプション部品が固定される固定部材と、
を備えた、浴室用椅子のオプション部品取付部材。
【請求項２】
前記固定部材は、前記左カバーに嵌合する左嵌合部と、前記右カバーに嵌合する右嵌合部とを有し、前記左カバーおよび前記右カバーに対して着脱可能に構成されている、請求項１に記載された浴室用椅子のオプション部品取付部材。
【請求項３】
前記固定部材は、
前記左カバーと前記右カバーとに架け渡されたジョイントバーと、
前記ジョイントバーに左右に摺動可能に嵌め込まれた左右一対のジョイント部材と、
前記両ジョイント部材に接続され、前記両ジョイント部材から上方に延び、前記オプション部品が設置される設置バーと、
を有している、請求項１または２に記載された浴室用椅子のオプション部品取付部材。
【請求項４】
前記横フレーム部には、後方に突出する凸部が設けられ、
前記両ジョイント部材の少なくとも一方には、前記凸部が嵌め込まれる凹部が形成されている、請求項３に記載された浴室用椅子のオプション部品取付部材。
【請求項５】
前記左カバーおよび前記右カバーの前記前壁部は板状に形成され、前記横フレーム部と前記背もたれとの間の隙間に嵌め込まれるように構成されている、請求項１から４までの何れか１つに記載された浴室用椅子のオプション部品取付部材。
【発明の詳細な説明】
【技術分野】
【０００１】
本発明は、浴室用椅子にシャワーヘッドなどのオプション部品を取り付けるためのオプション部品取付部材に関する。
【背景技術】
【０００２】
従来から、利用者のニーズに合わせて、椅子にオプション部品を取り付けることが行われている。オプション部品は、取付部材を介して椅子に取り付けられる。例えば、特許文献１には、取付金具を介して車椅子にヘッドレストを取り付けることが記載されている。
【０００３】
上記取付金具は、車椅子のパイプ状のフレームに固定される。上記取付金具は、断面コ字状に形成されており、フレームに上方から被せられる。上記取付金具は、フレームの左側に配置される左片と、フレームの右側に配置される右片とを有する。フレームの下方にて左片および右片をボルトで締め付けることにより、フレームは左片および右片によって挟み込まれる。これにより、取付金具をフレームに固定することができる。
【先行技術文献】
【特許文献】
【０００４】
【特許文献１】特開２００２−１１３０４７号公報
【発明の概要】
【発明が解決しようとする課題】
【０００５】
ところで、椅子の他の一例として、浴室用椅子が知られている。浴室用椅子は浴室内で使用されるものである。そのため、浴室用椅子には清潔さが求められる。頻繁に掃除ができるよう、取付部材は浴槽用椅子に対して着脱可能であることが好ましい。また、浴室用椅子は、主に要介護者または介護者が狭い浴室内で使用するものであり、簡便に使用できることが望まれる。そのため、取付部材は、簡単に着脱できることが好ましい。一方、取付後のオプション部品ががたつかないよう、取付部材は浴室用椅子に安定して取り付けられる必要がある。しかし、特許文献１に開示されたような取付金具では、椅子に対して安定して取り付けることができるものの、着脱作業が面倒であり、容易に着脱することができない。
【０００６】
本発明はかかる点に鑑みてなされたものであり、その目的は、浴室用椅子にオプション部品を着脱可能に容易に取り付けることができ、かつ、がたつかないよう安定して取り付けることができるオプション部品取付部材を提供することである。
【課題を解決するための手段】
【０００７】
本発明に係る浴室用椅子のオプション部品取付部材は、フレームと前記フレームに支持された座部および背もたれとを備えた浴室用椅子にオプション部品を取り付けるためのオプション部品取付部材である。前記フレームは、左の縦フレーム部と、右の縦フレーム部と、横フレーム部とを有する。前記左の縦フレーム部は、前記座部の左側から上方に向かって延びる。前記右の縦フレーム部は、前記座部の右側から上方に向かって延びる。前記横フレーム部は、前記左の縦フレーム部の上端部から右方に延びる左端部および前記右の縦フレーム部の上端部から左方に延びる右端部を含み、前記背もたれが固定される。前記左の縦フレーム部の前記上端部および前記横フレーム部の前記左端部は、左上コーナー部を形成している。前記右の縦フレーム部の前記上端部および前記横フレーム部の前記右端部は、右上コーナー部を形成している。前記オプション部品取付部材は、左カバーと、右カバーと、固定部材とを備えている。前記左カバーは、前壁部と、前記前壁部から後方に離間した後壁部と、前記前壁部の左端と前記後壁部の左端とに架け渡された左壁部と、前記前壁部の上端と前記後壁部の上端とに架け渡された上壁部と、を有し、前記左上コーナー部に被せられる。前記右カバーは、前壁部と、前記前壁部から後方に離間した後壁部と、前記前壁部の右端と前記後壁部の右端とに架け渡された右壁部と、前記前壁部の上端と前記後壁部の上端とに架け渡された上壁部と、を有し、前記右上コーナー部に被せられる。前記固定部材は、前記左カバーおよび前記右カバーに支持され、前記オプション部品が固定される。
【０００８】
上記オプション部品取付部材によれば、左カバーおよび右カバーをそれぞれフレームの左上コーナー部および右上コーナー部に被せることにより、浴室用椅子に容易に取り付けることができる。また、左カバーおよび右カバーをそれぞれフレームの左上コーナー部および右上コーナー部から引き抜くことにより、浴室用椅子から容易に取り外すことができる。よって、上記オプション部品取付部材は、浴室用椅子のフレームに容易に着脱される。したがって、上記オプション部品取付部材を介在させることにより、浴室用椅子にオプション部品を容易に着脱可能に取り付けることができる。
【０００９】
一方、フレームに容易に着脱できる取付部材では、がたつきが生じるおそれがある。しかし、上記オプション部品取付部材によれば、左カバーおよび右カバーの前壁部が、それぞれフレームの左上コーナー部および右上コーナー部の前面部と接触することにより、オプション部品取付部材の後方へのがたつきを規制する。左カバーおよび右カバーの後壁部が、それぞれ左上コーナー部および右上コーナー部の後面部と接触することにより、オプション部品取付部材の前方へのがたつきを規制する。左カバーおよび右カバーの上壁部が、それぞれ左上コーナー部および右上コーナー部の上面と接触することにより、オプション部品取付部材の下方へのがたつきを抑制する。左カバーの左壁部および右カバーの右壁部が、それぞれ左上コーナー部の左側面および右上コーナー部の右側面と接触することにより、オプション部品取付部材の左方および右方へのがたつきを抑制する。なお、左カバーおよび右カバーには、オプション部品取付部材の自重およびオプション部品の重量が加わる。そのため、オプション部品取付部材の上方へのがたつきは生じにくい。加えて、上記オプション部品取付部材によれば、横フレーム部の中心線周りの回転力が加わったとしても、左カバーの前壁部または後壁部が左の縦フレーム部の上端部と接触し、または、右カバーの前壁部または後壁部が右の縦フレーム部の上端部と接触することにより、横フレーム部の中心線周りに回転してしまうことが規制される。よって、上記オプション部品取付部材によれば、フレームに容易に着脱可能でありながら、がたつきが生じにくい。
【００１０】
本発明の好ましい一態様によれば、前記固定部材は、前記左カバーに嵌合する左嵌合部と、前記右カバーに嵌合する右嵌合部とを有し、前記左カバーおよび前記右カバーに対して着脱可能に構成されている。
【００１１】
上記態様によれば、固定部材は左カバーおよび右カバーに対して着脱可能であるので、固定部材を交換することが容易である。横フレーム部の長さ（左右方向の長さ）またはオプション部品の寸法等に応じて固定部材を交換することにより、利用可能な浴室用椅子またはオプション部品の種類を増やすことができる。よって、オプション部品取付部材の利便性を高めることができる。
【００１２】
本発明の好ましい他の一態様によれば、前記固定部材は、ジョイントバーと、ジョイント部材と、設置バーと、を有している。前記ジョイントバーは、前記左カバーと前記右カバーとに架け渡されている。前記左右一対のジョイント部材は、前記ジョイントバーに左右に摺動可能に嵌め込まれている。前記設置バーは、前記両ジョイント部材に接続され、前記両ジョイント部材から上方に延び、前記オプション部品が設置される。
【００１３】
上記態様によれば、ジョイント部材をジョイントバーに沿って左右に摺動させることにより、設置バーの左右の位置を変更することができる。よって、設置バーに設置されるオプション部品の左右の位置を適宜変更することができる。
【００１４】
本発明の好ましい他の一態様によれば、前記横フレーム部には、後方に突出する凸部が設けられている。前記両ジョイント部材の少なくとも一方には、前記凸部が嵌め込まれる凹部が形成されている。
【００１５】
上記態様によれば、横フレーム部の凸部を上記ジョイント部材の凹部に嵌め込むことにより、ジョイント部材を容易に位置決めすることができる。また、フレームに対してオプション部品取付部材を更に安定して取り付けることができる。
【００１６】
本発明の好ましい他の一態様によれば、前記左カバーおよび前記右カバーの前記前壁部は板状に形成され、前記横フレーム部と前記背もたれとの間の隙間に嵌め込まれるように構成されている。
【００１７】
上記態様によれば、左カバーおよび右カバーをそれぞれフレームの左上コーナー部および右上コーナー部に被せることにより、左カバーおよび右カバーの前壁部を横フレーム部と背もたれとの間の隙間に嵌め込むことができる。左カバーおよび右カバーの前壁部が横フレーム部と背もたれとの間の隙間に嵌め込まれることにより、オプション部品取付部材を更に安定して取り付けることができる。よって、オプション部品取付部材の着脱容易性を損なうことなく、取付安定性を更に高めることができる。
【発明の効果】
【００１８】
本発明によれば、浴室用椅子にオプション部品を着脱可能に容易に取り付けることができ、かつ、がたつかないよう安定して取り付けることができるオプション部品取付部材を提供することができる。
【図面の簡単な説明】
【００１９】
【図１】実施形態に係る浴室用椅子セットの椅子の斜視図である。
【図２】椅子の正面図である。
【図３】椅子の左側面図である。
【図４】椅子の平面図である。
【図５】椅子の背面図である。
【図６】取付部材が省略された椅子の背面図である。
【図７】図６のＶＩＩ−ＶＩＩ断面における椅子の断面図である。
【図８】折り畳まれた状態の椅子の左側面図である。
【図９】取付部材の斜視図である。
【図１０】取付部材の分解斜視図である。
【図１１】図５のＸＩ−ＸＩ断面における椅子の断面図である。
【図１２】他の実施形態に係る取付部材の正面図である。
【図１３】他の実施形態に係る取付部材の正面図である。
【発明を実施するための形態】
【００２０】
以下、図面を参照しながら、本発明の一実施形態に係る浴室用椅子のオプション部品取付部材と、浴室用椅子と、オプション部品とについて説明する。以下の説明では、オプション部品取付部材、浴室用椅子、およびオプション部品の全体のことを浴室用椅子セットと呼ぶこととする。以下に説明する実施形態は、本発明の一実施形態に過ぎず、当然ながら本発明を限定することを意図したものではない。
【００２１】
図１は、実施形態に係る浴室用椅子セット１の斜視図である。浴室用椅子セット１は、浴室用椅子（以下、椅子という。）１００と、オプション部品取付部材（以下、「取付部材」という。）６０と、オプション部品の一例であるシャワーヘッド９０と、を備えている。本実施形態に係る浴室用椅子セット１では、椅子１００には、取付部材６０を介してシャワーヘッド９０が取り付けられる。
【００２２】
以下の説明では、前、後、左、右、上、下とは、椅子１００を利用する利用者から見た前、後、左、右、上、下をそれぞれ意味するものとする。各図面中における符号Ｆ、Ｒｒ、Ｌ、Ｒ、Ｕ、Ｄは、それぞれ前、後、左、右、上、下を表す。ただし、これらの方向は説明の便宜上定めた方向に過ぎず、椅子１００の態様を何ら限定するものではない。
【００２３】
まず、椅子１００について説明する。椅子１００は、主に浴室内において、高齢者や要介護者などがシャワーを浴びるときなどに利用される。ただし、本実施形態に係る椅子１００の利用対象者は、高齢者または要介護者に限定されない。
【００２４】
図２、図３、図４、図５は、それぞれ取付部材６０が取り付けられた椅子１００の正面図、左側面図、平面図、背面図である。図１〜図５に示すように、椅子１００は、フレーム１０Ａと、座部３０と、背もたれ４０と、左右一対の肘掛け５０とを備えている。フレーム１０Ａは、第１フレーム１０と、左右一対の第２フレーム２０とを含んでいる。
【００２５】
図６は、椅子１００の背面図である。図６に示すように、第１フレーム１０は、上方に延びる左右一対のメインフレーム部１０ａと、左のメインフレーム部１０ａと右のメインフレーム部１０ａとをつなぐ左右に延びる横フレーム部１５とを備えている。なお、本明細書では特に断らない限り、上方とは、鉛直上向きの方向だけでなく、鉛直上向きの方向から±４５度以内の範囲で傾いた方向も含むものとする。同様に、下方、左方、右方、前方、後方とは、それぞれ鉛直下向き、左向き、右向き、前向き、後向きの方向から±４５度以内の範囲で傾いた方向も含むものとする。
【００２６】
図３に示すように、各メインフレーム部１０ａは、前斜め下向きに延びる前脚部１１と、前脚部１１から後斜め上向きに延びる中途部１２と、中途部１２から後斜め上向きに延びる縦フレーム部１３とを有している。図６に示すように、左の縦フレーム部１３の上端部１３ｕは、上方に行くほど右側に向かうように湾曲している。右の縦フレーム部１３の上端部１３ｕは、上方に行くほど左側に向かうように湾曲している。ここでは、上端部１３ｕは円弧状に湾曲しているが、湾曲の形態は特に限定されない。
【００２７】
横フレーム部１５は、左の縦フレーム部１３の上端部１３ｕと右の縦フレーム部１３の上端部１３ｕとに架け渡されている。横フレーム部１５の左端部１５ａは、左の縦フレーム部１３の上端部１３ｕから右方に延びている。左端部１５ａは、左方に行くほど下側に向かうように湾曲している。横フレーム部１５の右端部１５ｂは、右の縦フレーム部１３の上端部１３ｕから左方に延びている。右端部１５ｂは、右方に行くほど下側に向かうように湾曲している。
【００２８】
左の縦フレーム部１３の上端部１３ｕと横フレーム部１５の左端部１５ａとは、左上コーナー部１６Ｌを形成している。右の縦フレーム部１３の上端部１３ｕと横フレーム部１５の右端部１５ｂとは、右上コーナー部１６Ｒを形成している。なお、第１フレーム１０は、単一の部材であってもよく、複数の部材が組み合わせられることによって形成されていてもよい。例えば、第１フレーム１０は１本のパイプにより形成されていてもよく、複数本のパイプが接続されることによって形成されていてもよい。
【００２９】
本実施形態では、横フレーム部１５の後部には、左右一対の凸部１８が設けられている。図７は、図６のＶＩＩ−ＶＩＩ断面における椅子１００の部分断面図である。図７に示すように、凸部１８は、横フレーム部１５の後部から後方に向かって突出している。図６に示すように、凸部１８の形状は円筒形状である。凸部１８の横断面の形状は円形状である。ただし、凸部１８の形状は特に限定されない。左右一対の凸部１８は、互いに所定の距離離れている。ここでは、２つの凸部１８の間隔は、背もたれ４０の左右方向の長さよりも短い。ここで、２つの凸部１８の間隔とは、左の凸部１８の右端と、右の凸部１８の左端との距離である。
【００３０】
本実施形態では、図７に示すように、凸部１８には、前後方向に貫通した固定孔１８ａが形成されている。この固定孔１８ａには、ねじ１９が挿入される。ねじ１９によって、横フレーム部１５に背もたれ４０が固定される。なお、ねじ１９の頭部が凸部１８を形成していてもよい。また、凸部１８には、ねじ１９が挿入される固定孔１８ａが形成されていなくてもよい。横フレーム部１５に背もたれ４０を固定するねじ１９とは別に、凸部１８を設けることも可能である。
【００３１】
図３に示すように、メインフレーム部１０ａの前脚部１１は、伸縮可能であり、長さ調整が可能である。前脚部１１は、上パイプ部１１ａと、上パイプ部１１ａがスライド可能に挿入された下パイプ部１１ｂと、下パイプ部１１ｂの下端部に設けられた滑り止めキャップ１１ｃとを有している。上パイプ部１１ａの下パイプ部１１ｂに対する挿入長さを調整することで、メインフレーム部１０ａの前脚部１１の長さを調整することができる。
【００３２】
左の第２フレーム２０と、右の第２フレーム２０とは、左右対称の形状を有している。第２フレーム２０は、後斜め下向きに延びている。第２フレーム２０の下部は後脚部を構成している。第２フレーム２０は、上パイプ部２０ａと、上パイプ部２０ａがスライド可能に挿入された下パイプ部２０ｂと、下パイプ部２０ｂの下端部に設けられた滑り止めキャップ２０ｃとを有している。第２フレーム２０は、第１フレーム１０の前脚部１１と同様に、伸縮可能であり、長さ調整が可能である。ここでは、上パイプ部２０ａの下パイプ部２０ｂに対する挿入長さを調整することで、第２フレーム２０の長さを調整することができる。本実施形態では、第１フレーム１０の前脚部１１の長さ、および、第２フレーム２０の長さを調整することで、座部３０の高さを調整することができる。
【００３３】
本実施形態では、椅子１００は折り畳み機構を有する。図３に示すように、第１フレーム１０のメインフレーム部１０ａの中途部１２と、第２フレーム２０とは、左右方向に延びた連結軸２８によって相対回転自在に連結されている。ここでは、第２フレーム２０には、第２フレーム２０の上部からメインフレーム部１０ａの中途部１２に向かって延びたリンク部材２９が設けられている。リンク部材２９は、連結軸２８に接続されており、メインフレーム部１０ａの中途部１２に対して回転自在である。図８は、折り畳まれた状態の椅子１００の左側面図である。図８に示すように、メインフレーム部１０ａの前脚部１１と、第２フレーム２０の下部（後脚部）とが接近するようにメインフレーム部１０ａおよび第２フレーム２０を相対回転させることにより、椅子１００を折り畳むことができる。逆に、図３に示すように、メインフレーム部１０ａの前脚部１１と第２フレーム２０の下部とが遠ざかるようにメインフレーム部１０ａおよび第２フレーム２０を相対回転させることにより、椅子１００を開脚させることができる。
【００３４】
図１に示すように、座部３０は、利用者が座る座面３１を有している。座面３１の左右方向の中央部分には、下方に凹んだ凹部３２が形成されている。図４に示すように、凹部３２は、前方および後方に開口している。そのため、凹部３２に手を挿入することで、座面３１に座った利用者の陰部を洗浄することができる。
【００３５】
図６に示すように、背もたれ４０は、第１フレーム１０の横フレーム部１５に取り付けられている。本実施形態では上述のように、横フレーム部１５の凸部１８に形成された固定孔１８ａにねじ１９が挿入される（図７参照）。背もたれ４０は、ねじ１９によって横フレーム部１５に固定される。図４に示すように、背もたれ４０の左部４０Ｌおよび右部４０Ｒは、前方に湾曲している。そのため、背もたれ４０の左部４０Ｌと横フレーム部１５の左端部１５ａとの間、および、背もたれ４０の右部４０Ｒと横フレーム部１５の右端部１５ｂとの間には、隙間４５（図７参照）が形成されている。
【００３６】
図２に示すように、背もたれ４０には、孔４１が形成されている。利用者は、この孔４１に指を挿入して背もたれ４０を把持する。このことによって、利用者は、椅子１００を片手で持ち上げたり、片手で移動させたりすることができる。背もたれ４０の下端部には、上方に凹んだ凹部４２が形成されている。本実施形態では、背もたれ４０は合成樹脂製である。しかしながら、背もたれ４０の材料は特に限定されない。
【００３７】
図１に示すように、左の肘掛け５０と、右の肘掛け５０とは、左右対称の形状を有している。左右一対の肘掛け５０は、座部３０よりも左方および右方に配置されている。肘掛け５０は、メインフレーム部１０ａの縦フレーム部１３に取り付けられている。肘掛け５０は、根元部５０ａと、根元部５０ａの前方に位置する先端部５０ｂとを有する。肘掛け５０には、肘掛け回転機構５５が設けられている。肘掛け回転機構５５は、肘掛け５０の根元部５０ａを軸に、肘掛け５０を上方に回転させる機構である。肘掛け回転機構５５は、左右方向に延びた回転軸５６を備えている。本実施形態では、縦フレーム部１３には、前方に突出したブラケット１４が設けられている。ブラケット１４には、回転軸５６が設けられている。肘掛け５０は、回転軸５６に回転可能に取り付けられている。よって、肘掛け５０は、回転軸５６およびブラケット１４を介して、縦フレーム部１３に回転可能に取り付けられている。
【００３８】
肘掛け回転機構５５は、肘掛け５０を使用する位置である使用位置Ｐ１１と、肘掛け５０を使用しない位置である非使用位置Ｐ１２との間で、肘掛け５０を回転させるように構成されている。肘掛け５０は、いわゆる跳ね上げ式の肘掛けである。図１〜図６において、右の肘掛け５０は、使用位置Ｐ１１に配置されている状態であり、左の肘掛け５０は、非使用位置Ｐ１２に配置されている状態である。肘掛け５０を非使用位置Ｐ１２に位置づけることにより、利用者は側方から座部３０に座ることができ、また、座部３０から側方に立ち上がることができる。すなわち、横移乗が可能となる。
【００３９】
以上、椅子１００の構成について説明した。上述のように、本実施形態に係る椅子１００は、浴室内において高齢者や要介護者などの利用者がシャワーを浴びるときなどに利用される。例えば、図１に示すように、背もたれ４０の上方にシャワーヘッド９０が配置されることにより、座部３０に座った利用者が手を伸ばしてシャワーヘッド９０を操作することで、シャワーを浴び易い。また、背もたれ４０の上方にシャワーヘッド９０が配置されることにより、介護者が椅子１００の後方においてシャワーヘッド９０を操作して、座部３０に座った利用者にシャワーを浴びせ易い。本実施形態では、シャワーヘッド９０は取付部材６０を介して第１フレーム１０に取り付けられる。すなわち、第１フレーム１０に取付部材６０が取り付けられ、この取付部材６０にシャワーヘッド９０が取り付けられる。
【００４０】
次に、取付部材６０について説明する。図９は、取付部材６０の斜視図である。図１０は、取付部材６０の分解斜視図である。図１０に示すように、取付部材６０は、左カバー６１Ｌと、右カバー６１Ｒと、左カバー６１Ｌおよび右カバー６１Ｒに支持され、シャワーヘッド９０が固定される固定部材６０Ａとを備えている。固定部材６０Ａは、ジョイントバー６２と、左右一対のジョイント部材６３と、設置バー６４とを有している。
【００４１】
左カバー６１Ｌと、右カバー６１Ｒとは、左右対称の形状を有している。図５に示すように、左カバー６１Ｌは、椅子１００のフレーム１０の左上コーナー部１６Ｌ（図６参照）に取り付けられる。左カバー６１Ｌは、左上コーナー部１６Ｌに被せられるように構成されている。右カバー６１Ｒは、フレーム１０の右上コーナー部１６Ｒ（図６参照）に取り付けられる。右カバー６１Ｒは、右上コーナー部１６Ｒに被せられるように構成されている。
【００４２】
図１０に示すように、左カバー６１Ｌは、下方および右方に開いた断面コ字状に形成されている。詳しくは、左カバー６１Ｌは、前壁部７１と、前壁部７１から後方に離間した後壁部７３と、前壁部７１の左端と後壁部７３の左端とに架け渡された左壁部７２Ｌと、を有している。フレーム１０の左上コーナー部１６Ｌの湾曲形状に合うように、左壁部７２Ｌは、後方から見て湾曲している。また、左カバー６１Ｌは、前壁部７１および後壁部７３の上方に位置する円筒部７４を有している。円筒部７４の下半部は、前壁部７１の上端と後壁部７３の上端とに架け渡された上壁部７４Ａとなっている。なお、上壁部７４Ａには、下方に突出した突起７４Ｂが含まれる。左カバー６１Ｌがフレーム１０の左上コーナー部１６Ｌに取り付けられたときに、前壁部７１は、左の縦フレーム部１３の上端部１３ｕおよび横フレーム部１５の左端部１５ａの前面に対向し、当該前面と接触する。後壁部７３は、左の縦フレーム部１３の上端部１３ｕおよび横フレーム部１５の左端部１５ａの後面に対向し、当該後面と接触する。左壁部７２Ｌは、左の縦フレーム部１３の上端部１３ｕの左側面に対向し、当該左側面と接触する。上壁部７４Ａは、横フレーム部１５の左端部１５ａの上面に対向し、当該上面と接触する。
【００４３】
右カバー６１Ｒは、下方および左方に開いた断面コ字状に形成されている。詳しくは、右カバー６１Ｒは、前壁部７１と、前壁部７１から後方に離間した後壁部７３と、前壁部７１の右端と後壁部７３の右端とに架け渡された右壁部７２Ｒと、前壁部７１および後壁部７３の上方に位置する円筒部７４とを有している。円筒部７４の下半部は、前壁部７１の上端と後壁部７３の上端とに架け渡された上壁部７４Ａとなっている。フレーム１０の右上コーナー部１６Ｒの湾曲形状に合うように、右壁部７２Ｒは、後方から見て湾曲している。右カバー６１Ｒがフレーム１０の右上コーナー部１６Ｒに取り付けられたときに、前壁部７１は、右の縦フレーム部１３の上端部１３ｕおよび横フレーム部１５の右端部１５ｂの前面に対向し、当該前面と接触する。後壁部７３は、右の縦フレーム部１３の上端部１３ｕおよび横フレーム部１５の右端部１５ｂの後面に対向し、当該後面と接触する。右壁部７２Ｒは、右の縦フレーム部１３の上端部１３ｕの右側面に対向し、当該右側面と接触する。上壁部７４Ａは、横フレーム部１５の右端部１５ｂの上面に対向し、当該上面と接触する。
【００４４】
図１１は、図５のＸＩ−ＸＩ断面における椅子１００の断面図である。図１１に示すように、右カバー６１Ｒの前壁部７１は板状に形成されており、横フレーム部１５の右端部１５ｂと背もたれ４０との間の隙間４５に嵌め込まれる。右カバー６１Ｒをフレーム１０の右上コーナー部１６Ｒに取り付けたとき、前壁部７１は、横フレーム部１５の右端部１５ｂと背もたれ４０の後部とに接触する。そのため、前壁部７１は、横フレーム部１５と背もたれ４０とに挟まれた状態になる。図示は省略するが、左カバー６１Ｌの前壁部７１も板状に形成されており、横フレーム部１５の左端部１５ａと背もたれ４０との間の隙間に嵌め込まれる。左カバー６１Ｌをフレーム１０の左上コーナー部１６Ｌに取り付けたときに、左カバー６１Ｌの前壁部７１は、横フレーム部１５と背もたれ４０とに挟まれた状態になる。
【００４５】
図９に示すように、ジョイントバー６２は、左右方向に真っ直ぐに延びるパイプにより構成されている。ジョイントバー６２は、左右方向に延びた円筒状に形成されている。ただし、ジョイントバー６２の形状は円筒状に限定されない。また、ジョイントバー６２は直線状に限られず、例えば湾曲していてもよい。本実施形態では、ジョイントバー６２は、左カバー６１Ｌと右カバー６１Ｒとを連結させる。ジョイントバー６２の左端部は、左カバー６１Ｌの孔７５に嵌め込まれている。ジョイントバー６２の右端部は、右カバー６１Ｒの孔７５に嵌め込まれている。ジョイントバー６２の左端部は、左カバー６１Ｌに嵌合する左嵌合部７６Ｌを形成している。ジョイントバー６２の右端部は、右カバー６１Ｒに嵌合する右嵌合部７６Ｒを形成している。
【００４６】
ジョイント部材６３は、ジョイントバー６２と設置バー６４とを接続する部材である。図１０に示すように、ジョイント部材６３には、左右方向に貫通した貫通孔８１が形成されている。ジョイント部材６３の上部には、下方に凹んだ孔８２が形成されている。また、ジョイント部材６３の前部から下部に亘って、凹部８３が形成されている。凹部８３は後方に凹むと共に上方に凹んでいる。ジョイント部材６３における貫通孔８１の下側の部分は、前方および下方に開放されている。図９に示すように、貫通孔８１にはジョイントバー６２が挿入されている。ジョイント部材６３は、ジョイントバー６２に左右に摺動可能に嵌め込まれている。設置バー６４は逆Ｕ字状に形成されている。左右のジョイント部材６３の孔８２には、それぞれ設置バー６４の左側、右側の下端部が嵌め込まれる。ジョイント部材６３の凹部８３には、横フレーム部１５の凸部１８（図１１参照）が嵌め込まれる。
【００４７】
図１に示すように、設置バー６４にはシャワーヘッド９０が設置される。なお、図２〜図５および図８〜図１０において、シャワーヘッド９０は省略されている。前述したように、設置バー６４は、下方に開いた逆Ｕ字状に形成されている。図１０に示すように、設置バー６４は、左右一対の鉛直部８６と、両鉛直部８６に架け渡された水平部８７とを有する。水平部８７は、両鉛直部８６の上端部同士を繋いでいる。本実施形態では、設置バー６４は中空のパイプによって形成されている。ただし、設置バー６４は、中実の棒状体であってもよい。設置バー６４の横断面の輪郭は円状であるが、特に限定されない。上記輪郭は、例えば楕円状であってもよく、四角形状であってもよい。
【００４８】
本実施形態では、図１に示すように、水平部８７にシャワーヘッド９０が取り付けられる。ここでは、水平部８７には、シャワーヘッド９０を掛けるための掛け具９１が設けられている。なお、図２〜図５および図８〜図１０において、掛け具９１は省略されている。
【００４９】
次に、取付部材６０と椅子１００との位置関係を説明する。図４に示すように、取付部材６０は、背もたれ４０の最前端よりも後方に配置されている。取付部材６０のジョイントバー６２、左右のジョイント部材６３および設置バー６４は、平面視において、左の肘掛け５０よりも右方であって、右の肘掛け５０よりも左方に配置されている。図５に示すように、取付部材６０の設置バー６４の水平部８７は、背もたれ４０よりも上方に配置されている。図３に示すように、肘掛け５０を非使用位置Ｐ１２に移動させたとき、および、図８に示すように、椅子１００が折り畳まれているとき、左右のカバー６１Ｌ、６１Ｒの前方に肘掛け５０が位置する。
【００５０】
以上、本実施形態に係る取付部材６０について説明した。次に、取付部材６０を用いて椅子１００にシャワーヘッド９０を取り付ける方法の一例を説明する。
【００５１】
まず、取付部材６０を組み立てる（図９参照）。例えば始めに、左右のジョイント部材６３の貫通孔８１に、ジョイントバー６２を挿通させる。次に、左カバー６１Ｌの円筒部７４の孔７５に、ジョイントバー６２の左嵌合部７６Ｌを挿入する。また、右カバー６１Ｒの円筒部７４の孔７５に、ジョイントバー６２の右嵌合部７６Ｒを挿入する。これにより、ジョイントバー６２に左カバー６１Ｌおよび右カバー６１Ｒが接続される。次に、左右のジョイント部材６３の孔８２に、設置バー６４の左右の鉛直部８６の下端部をそれぞれ挿入する。これにより、左右のジョイント部材６３に設置バー６４が接続される。
【００５２】
そして、図１に示すように、組み立てが完了した取付部材６０を、椅子１００のフレーム１０Ａに取り付ける。取り付けにあたっては、左カバー６１Ｌをフレーム１０Ａの左上コーナー部１６Ｌに上方から被せると共に、右カバー６１Ｒをフレーム１０Ａの右上コーナー部１６Ｒに上方から被せる。この際、左カバー６１Ｌおよび右カバー６１Ｒの前壁部７１は、図１１に示すように、横フレーム部１５と背もたれ４０との間の隙間４５に挿入される。また、ジョイント部材６３の凹部８３を、横フレーム部１５の凸部１８に嵌め込む。
【００５３】
取付部材６０を椅子１００に取り付けた後、図１に示すように、設置バー６４に掛け具９１を固定し、その掛け具９１にシャワーヘッド９０を掛ける。以上のようにして、取付部材６０を介して、シャワーヘッド９０を椅子１００に取り付けることができる。本実施形態では、背もたれ４０の後斜め上方に、シャワーヘッド９０が配置される。座部３０に座った利用者は、シャワーを浴びるときには、シャワーヘッド９０を掛け具９１から取り外す。利用者は、シャワーを浴び終わったときには、シャワーヘッド９０を掛け具９１に掛ける。
【００５４】
以上のように、本実施形態に係る取付部材６０によれば、左カバー６１Ｌおよび右カバー６１Ｒをそれぞれフレーム１０Ａの左上コーナー部１６Ｌおよび右上コーナー部１６Ｒに被せるという簡単な作業により、椅子１００に容易に取り付けることができる。また、左カバー６１Ｌおよび右カバー６１Ｒをそれぞれフレーム１０Ａの左上コーナー部１６Ｌおよび右上コーナー部１６Ｒから引き抜くことにより、椅子１００から容易に取り外すことができる。よって、取付部材６０は、椅子１００のフレーム１０Ａに容易に着脱することができる。したがって、取付部材６０を介在させることにより、シャワーヘッド９０を椅子１００に容易に着脱可能に取り付けることができる。
【００５５】
一方、フレーム１０Ａに容易に着脱できる部材では、フレーム１０Ａに取り付けたときにがたつきが生じるおそれがある。しかし、取付部材６０によれば、左カバー６１Ｌおよび右カバー６１Ｒの前壁部７１が、それぞれフレーム１０Ａの左上コーナー部１６Ｌおよび右上コーナー部１６Ｒの前面部と接触する。これにより、後方へのがたつきが規制される。同様に、左カバー６１Ｌおよび右カバー６１Ｒの後壁部７３が、それぞれ左上コーナー部１６Ｌおよび右上コーナー部１６Ｒの後面部と接触することにより、前方へのがたつきが規制される。左カバー６１Ｌおよび右カバー６１Ｒの上壁部７４Ａが、それぞれ左上コーナー部１６Ｌおよび右上コーナー部１６Ｒの上面と接触することにより、下方へのがたつきが抑制される。左カバー６１Ｌの左壁部７２Ｌおよび右カバー６１Ｒの右壁部７２Ｒが、それぞれ左上コーナー部１６Ｌの左側面および右上コーナー部１６Ｒの右側面と接触することにより、左方および右方へのがたつきが抑制される。なお、左カバー６１Ｌおよび右カバー６１Ｒには、取付部材６０の自重およびシャワーヘッド９０の重量が加わる。そのため、取付部材６０の上方へのがたつきは生じにくい。このように、取付部材６０によれば、前後方向、左右方向、および上下方向のがたつきが生じにくい。
【００５６】
ところで、シャワーヘッド９０を取り外すとき、または、掛けるときなどに、設置バー６４に下向きまたは上向きの力が加わる場合がある。その場合、取付部材６０には、左右方向に延びる水平線周りの回転力（モーメント）が発生する。言い換えると、取付部材６０には、椅子１００の横フレーム部１５の中心線周りの回転力が発生する。そのため、左カバー６１Ｌおよび右カバー６１Ｒが横フレーム部１５の表面に沿って回転してしまうことが懸念される。しかし、取付部材６０によれば、左カバー６１Ｌの前壁部７１および後壁部７３は、それぞれ横フレーム部１５の左端部１５ａの前面および後面だけでなく、左の縦フレーム部１３の上端部１３ｕの前面および後面とも接触している。右カバー６１Ｒの前壁部７１および後壁部７３は、それぞれ横フレーム部１５の右端部１５ｂの前面および後面だけでなく、右の縦フレーム部１３の上端部１３ｕの前面および後面とも接触している。そのため、取付部材６０に横フレーム部１５の中心線周りの回転力が発生しても、左右の縦フレーム部１３の上端部１３ｕが、左カバー６１Ｌおよび右カバー６１Ｒの回転を規制する。よって、取付部材６０が横フレーム部１５の中心線周りに回転してしまうことが規制される。
【００５７】
したがって、取付部材６０によれば、ボルトなどを用いて固定しなくても、椅子１００のフレーム１０Ａに対して安定して取り付けることができる。本実施形態に係る取付部材６０によれば、椅子１００に対してシャワーヘッド９０を着脱可能に容易に取り付けることができるだけでなく、がたつかないよう安定して取り付けることができる。
【００５８】
また、本実施形態に係る取付部材６０によれば、図１０に示すように、固定部材６０Ａ（すなわち、ジョイントバー６２、左右のジョイント部材６３、および設置バー６４）は、左カバー６１Ｌおよび右カバー６１Ｒに対して着脱可能である。そのため、固定部材６０Ａを交換することが容易である。例えば、横フレーム部１５の長さが比較的短い椅子１００に対しては、左右方向の寸法が比較的小さい固定部材６０Ａを用い、横フレーム部１５の長さが比較的長い椅子１００に対しては、左右方向の寸法が比較的大きい固定部材６０Ａを用いることにより、仕様の異なる複数の種類の椅子１００に対して、取付部材６０を利用することができる。椅子１００またはシャワーヘッド９０の寸法等に応じて固定部材６０Ａを交換することにより、利用可能な椅子１００またはシャワーヘッド９０の種類を増やすことができる。よって、取付部材６０の利便性を高めることができる。
【００５９】
本実施形態に係る取付部材６０によれば、ジョイント部材６３はジョイントバー６２に対して摺動可能である。ジョイント部材６３をジョイントバー６２に沿って左右に摺動させることにより、設置バー６４の左右の位置を変更することができる。よって、設置バー６４に設置されるシャワーヘッド９０の左右の位置を適宜変更することができる。なお、本実施形態では椅子１００の横フレーム部１５に凸部１８が設けられているが、ジョイント部材６３の位置を変更した場合、ジョイント部材６３の凹部８３は凸部１８（図７参照）と嵌合しなくなる。
【００６０】
本実施形態では、図１１に示すように、横フレーム部１５の凸部１８をジョイント部材６３の凹部８３に嵌め込むことにより、設置バー６４を容易に位置決めすることができる。また、取付部材６０を椅子１００のフレーム１０Ａに対して、より一層安定して取り付けることができる。そのため、椅子１００に対してシャワーヘッド９０をより安定して取り付けることができる。
【００６１】
本実施形態に係る取付部材６０によれば、左カバー６１Ｌおよび右カバー６１Ｒをそれぞれフレーム１０Ａの左上コーナー部１６Ｌおよび右上コーナー部１６Ｒに被せることにより、左カバー６１Ｌおよび右カバー６１Ｒの前壁部７１を横フレーム部１５と背もたれ４０との間の隙間４５に嵌め込むことができる。左カバー６１Ｌおよび右カバー６１Ｒの前壁部７１が隙間４５に嵌め込まれることにより、取付部材６０を更に安定して取り付けることができる。よって、取付部材６０の着脱容易性を損なうことなく、取付安定性を更に高めることができる。
【００６２】
本実施形態では、図１０に示すように、設置バー６４は、左右一対の鉛直部８６と、両鉛直部８６に架け渡された水平部８７とを有している。水平部８７にシャワーヘッド９０（図１参照）が設けられる。このことによって、図９に示すように、水平部８７はジョイントバー６２よりも上方に配置され、ジョイントバー６２よりも上方にシャワーヘッド９０が設置される。よって、利用者は、座部３０に座った状態のまま、手を伸ばしてシャワーヘッド９０の取り付けおよび取り外しを容易に行うことができる。
【００６３】
以上、本実施形態に係る取付部材６０について説明した。上記実施形態では、オプション部品はシャワーヘッド９０であった。しかしながら、オプション部品はシャワーヘッド９０に限定されない。例えば、オプション部品は、シャワーユニットであってもよいし、ヘッドレストであってもよい。シャワーユニットは、例えば、特開２００４−２２３０６０号公報に記載されたようなシャワーユニットであってもよい。シャワーユニットは、例えば、複数のシャワーノズルが形成された本体と、本体の左右両側において前後方向に回転可能に設けられ、複数のシャワーノズルが形成されたアームとによって構成されたものであってもよい。
【００６４】
上記実施形態では、取付部材６０は、ジョイント部材６３を備えていた。しかしながら、図１２に示す取付部材１６０Ａのように、ジョイント部材６３は省略されてもよい。この場合、ジョイントバー６２と設置バー６４とは、一体的に形成されていてもよい。
【００６５】
また、左右のジョイント部材６３が左右のカバー６１Ｌ、６１Ｒと一体化され、ジョイントバー６２が省略されてもよい。
【００６６】
上記実施形態では、設置バー６４は、上下方向に延びた左右一対の鉛直部８６と、左右の鉛直部８６に架け渡された水平部８７とを備えていた。しかしながら、設置バー６４の形状は特に限定されない。図１３に示す取付部材１６０Ｂのように、設置バー６４がジョイントバーを兼用していてもよい。この場合、ジョイント部材６３は省略してもよい。
【００６７】
椅子１００のフレーム１０Ａの左上コーナー部１６Ｌおよび右上コーナー部１６Ｒは、後方から見て湾曲していなくてもよい。左上コーナー部１６Ｌおよび右上コーナー部１６Ｒは、後方から見て直角形状に形成されていてもよい。この場合、取付部材６０の左カバー６１Ｌおよび右カバー６１Ｒは、後方から見て直角形状に形成されていることが好ましい。左カバー６１Ｌおよび右カバー６１Ｒは、フレーム１０Ａの左上コーナー部１６Ｌおよび右上コーナー部１６Ｒに被せられるものであるので、左上コーナー部１６Ｌおよび右上コーナー部１６Ｒの形状に沿った形状に形成されていることが好ましい。
【００６８】
椅子１００の肘掛け５０は、回動可能でなくてもよい。肘掛け５０は固定式であってもよい。また、肘掛け５０は必ずしも必要ではなく、省略してもよい。
【００６９】
取付部材６０は、ボルトで固定しなくても、フレーム１０Ａに安定して取り付けることができる。しかし、取付部材６０にボルトを取り付け、フレーム１０Ａに対して更に強固に取り付けることも可能である。例えば、取付部材６０をフレーム１０Ａに取り付けた状態において、左カバー６１Ｌの前壁部７１および後壁部７３における左上コーナー部１６Ｌの内周側の部位（詳しくは、右下部）には、ボルトが挿入される挿入孔（図示せず）が形成されていてもよい。同様に、右カバー６１Ｒの前壁部７１および後壁部７３における右上コーナー部１６Ｒの内周側の部位（詳しくは、左下部）には、ボルトが挿入される挿入孔（図示せず）が形成されていてもよい。この場合、取付部材６０をフレーム１０Ａに取り付けた状態において、右カバー６１Ｒの上記挿入孔、および、左カバー６１Ｌの上記挿入孔にボルトを挿入して、左右のカバー６１Ｒ、６１Ｌの前壁部７１と後壁部７３とをボルトが架け渡すことにより、取付部材６０をフレーム１０Ａに対して強固に取り付けることが可能である。
【符号の説明】
【００７０】
１０Ａ  フレーム
１３  縦フレーム部
１５  横フレーム部
１６Ｌ  左上コーナー部
１６Ｒ  右上コーナー部
３０  座部
４０  背もたれ
６０  取付部材（オプション部品取付部材）
６０Ａ  固定部材
６１Ｌ  左カバー
６１Ｒ  右カバー
６２  ジョイントバー
６３  ジョイント部材
６４  設置バー
９０  シャワーヘッド（オプション部品）
１００  椅子（浴室用椅子）
【図１】
2019072178.tif 000003
【図２】
2019072178.tif 000004
【図３】
2019072178.tif 000005
【図４】
2019072178.tif 000006
【図５】
2019072178.tif 000007
【図６】
2019072178.tif 000008
【図７】
2019072178.tif 000009
【図８】
2019072178.tif 000010
【図９】
2019072178.tif 000011
【図１０】
2019072178.tif 000012
【図１１】
2019072178.tif 000013
【図１２】
2019072178.tif 000014
【図１３】
2019072178.tif 000015